(57)【特許請求の範囲】
【請求項１】
基地局によって実行されるワイヤレス通信のための方法であって、
ユーザ機器（ＵＥ）から、低減されたページングサイクルをサポートする前記ＵＥの能力を受信することと、
前記ＵＥとの低レイテンシベアラの確立、または前記ＵＥとの確立された低レイテンシベアラ上の予想される送信アクティビティのうちの少なくとも１つに少なくとも部分的に基づいて、低減されたページングサイクルをサポートする第１のタイプの前記ＵＥをページングするために、前記低減されたページングサイクルを使用することを決定することと、前記低減されたページングサイクルが、前記低減されたページングサイクルをサポートしない第２のタイプのＵＥとともに使用されるページングサイクルに対してより短い期間を有する、
前記低減されたページングサイクルに従って前記第１のタイプの前記ＵＥをページングすることとを備える、方法。
【請求項２】
前記第１のタイプのＵＥとともに使用される前記低減されたページングサイクルよりも長い期間を有する別のページングサイクルに従って、前記第２のタイプのＵＥをページングすることをさらに備える、請求項１に記載の方法。
【請求項３】
前記低減されたページングサイクルを使用することを決定することが、モビリティ管理エンティティ（ＭＭＥ）によって実行される、請求項１に記載の方法。
【請求項４】
前記ＵＥから受信されたＵＥ能力情報に基づいて、前記第１のタイプの前記ＵＥが前記低減されたページングサイクルをサポートすることが可能であると決定することをさらに備える、または、
前記低減されたページングサイクルを使用するために、前記第１のタイプの前記ＵＥから要求を受信することをさらに備え、ここにおいて、前記低減されたページングサイクルを使用することを決定することが、前記要求に少なくとも部分的に基づく、または、
前記第１のタイプの前記ＵＥの識別情報を決定することをさらに備え、ここにおいて、前記低減されたページングサイクルを使用することを決定することが、前記ＵＥから受信された前記識別情報に少なくとも部分的に基づく、請求項１に記載の方法。
【請求項５】
前記低減されたページングサイクルを使用することを決定することは、１つまたは複数のアクセスポイント名（ＡＰＮ）がアクティブであることに少なくとも部分的に基づく、請求項１に記載の方法。
【請求項６】
前記低減されたページングサイクルを使用することを決定することが、前記第１のタイプの前記ＵＥの送信アクティビティまたはトラフィックのうちの少なくとも１つの履歴に少なくとも部分的に基づく、請求項１に記載の方法。
【請求項７】
前記第１のタイプの前記ＵＥをページングするとき、前記第１のタイプの前記ＵＥがランダムアクセスチャネル（ＲＡＣＨ）プロシージャを実行するときに使用するためのＲＡＣＨリソース識別子を与えることをさらに備える、または、
前記第１のタイプの前記ＵＥをページングするとき、前記第１のタイプの前記ＵＥがアップリンク送信のために使用するための１つまたは複数のパラメータを与えることをさらに備える、請求項１に記載の方法。
【請求項８】
ユーザ機器（ＵＥ）によって実行されるワイヤレス通信の方法であって、
基地局に、低減されたページングサイクルの使用をサポートする前記ＵＥの能力をシグナリングすることと、前記低減されたページングサイクルが、前記低減されたページングサイクルをサポートしないタイプのＵＥによって使用されるページングサイクルに対してより短い期間を有する、
基地局との低レイテンシベアラを確立することと、
前記低減されたページングサイクルに従って、基地局からページを受信することとを備える、方法。
【請求項９】
前記低減されたページングサイクルの使用をサポートする前記ＵＥの前記能力をシグナリングすることが、少なくとも部分的に、前記基地局に、前記低減されたページングサイクルのサポートを示すＵＥ能力情報を送信することをさらに備える、請求項８に記載の方法。
【請求項１０】
前記低減されたページングサイクルの使用をサポートする前記ＵＥの前記能力をシグナリングすることが、少なくとも部分的に、前記基地局に、前記低減されたページングサイクルを使用するための要求を送信することをさらに備える、請求項８に記載の方法。
【請求項１１】
前記低減されたページングサイクルの使用をサポートする前記ＵＥの前記能力をシグナリングすることが、少なくとも部分的に、前記基地局に、前記ＵＥの識別子を送信することをさらに備える、請求項８に記載の方法。
【請求項１２】
前記低減されたページングサイクルの使用をサポートする前記ＵＥの前記能力をシグナリングすることが、前記基地局に、前記低減されたページングサイクルに関連する１つまたは複数のアクセスポイント名（ＡＰＮ）に属する１つまたは複数のベアラ上で送信することをさらに備える、請求項８に記載の方法。
【請求項１３】
前記ＵＥがランダムアクセスチャネル（ＲＡＣＨ）プロシージャを実行するときに使用するためのＲＡＣＨリソース識別子を含むページを前記基地局から受信することをさらに備える、または、前記ＵＥがアップリンク送信のために使用するための１つまたは複数のパラメータを含むページを前記基地局から受信することをさらに備える、請求項８に記載の方法。
【請求項１４】
請求項１−７のうちのいずれか一項のステップを実行するように構成された手段を備えるか、または請求項８−１３のうちのいずれか一項のステップを実行するように構成された手段を備える、ワイヤレス通信のための装置。
【請求項１５】
請求項１−７のうちのいずれか一項のステップを実行するように構成された、その上に記憶された命令を有するか、または請求項８−１３のうちのいずれか一項のステップを実行するように構成された、その上に記憶された命令を有するワイヤレス通信のための非一時的コンピュータ可読媒体。
【発明の詳細な説明】
【技術分野】
【０００１】
関連出願の相互参照
[0001]本出願は、その全体が参照により本明細書に組み込まれる、２０１４年１２月９日に出願された米国仮特許出願第６２／０８９，６６４号の利益を主張する、２０１５年１２月８日に出願された米国出願第１４／９６２，４６８号の優先権を主張する。
【０００２】
[0002]本開示のいくつかの態様は、一般にワイヤレス通信システムに関し、より詳細には、そのようなシステムにアクセスするための拡張プロシージャに関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。基地局は、ＵＥにダウンリンク上でデータおよび制御情報を送信し得、および／またはＵＥからアップリンク上でデータおよび制御情報を受信し得る。
【０００５】
[0005]基地局にアクセスするための現在のプロシージャは、ＵＥがアクセスを開始する時間とＵＥが実際にアクセスを獲得する時間との間の比較的大きいレイテンシを伴う。このレイテンシを低減することが望ましい。
【発明の概要】
【０００６】
[0006]本開示のいくつかの態様は、基地局によってシステム情報を伝達することを提供する。本方法は、概して、エリア中のセルのグループの各セルに共通の第１のシステム情報をブロードキャストすることと、セルのグループ中のセル間で変動し得る第２のシステム情報をブロードキャストすることとを含み、ここにおいて、第２のシステム情報は、第１のメッセージよりも頻繁にブロードキャストされる。
【０００７】
[0007]本開示のいくつかの態様は、ユーザ機器（ＵＥ）によってシステム情報を取得するための方法を提供する。本方法は、概して、エリア中のセルのグループの各セルに共通の第１のシステム情報のブロードキャストを受信することと、セルのグループ中のセル間で変動し得る第２のシステム情報のブロードキャストを受信することとを含み、ここにおいて、第２のシステム情報は、第１のシステム情報よりも頻繁にブロードキャストされる。
【０００８】
[0008]本開示のいくつかの態様は、ワイヤレス通信のための方法を提供する。本方法は、概して、低減されたページングサイクルをサポートする第１のタイプのユーザ機器（ＵＥ）をページングするために、低減されたページングサイクルを使用することを決定することと、低減されたページングサイクルが、低減されたページングサイクルをサポートしない第２のタイプのＵＥとともに使用されるページングサイクルに対してより短い期間を有する、低減されたページングサイクルに従ってＵＥをページングすることとを含む。
【０００９】
[0009]本開示のいくつかの態様は、ユーザ機器（ＵＥ）によるワイヤレス通信のための方法を提供する。本方法は、概して、低減されたページングサイクルの使用をサポートするＵＥの能力をシグナリングすることと、低減されたページングサイクルが、低減されたページングサイクルをサポートしない第２のタイプのＵＥによって使用されるページングサイクルに対してより短い期間を有する、低減されたページングサイクルに従って、基地局からページを受信することとを含む。
【００１０】
[0010]様々な他の態様は、上記で説明した動作を実行するための装置、システムおよびコンピュータプログラム製品を提供する。本開示の様々な態様および特徴について以下でさらに詳細に説明する。
【図面の簡単な説明】
【００１１】
【図１】[0011]本開示の態様が実施され得るワイヤレス通信ネットワークの一例を示す図。
【図２】[0012]ワイヤレス通信ネットワークにおけるフレーム構造の一例を示す図。
【図２Ａ】[0013]ロングタームエボリューション（ＬＴＥ（登録商標））におけるアップリンクのための例示的なフォーマットを示す図。
【図３】[0014]本開示のいくつかの態様による、ワイヤレス通信ネットワーク中のユーザ機器デバイス（ＵＥ）と通信している拡張ノードＢの一例を示す図。
【図４】[0015]本開示のいくつかの態様による、ティア化送信ＳＩＢスケジューリングの一例を概念的に示す図。
【図５】[0016]本開示の態様による、ティア化様式でシステム情報を伝達するために基地局によって実行され得る例示的な動作を示す図。
【図６】[0017]本開示の態様による、ティア化様式で伝達されるシステム情報を受信するためにユーザ機器によって実行され得る例示的な動作を示す図。
【図７】[0018]本開示の態様による、ＳＩＢのティア化送信の一例を示す図。
【図８】本開示の態様による、ＳＩＢのティア化送信の一例を示す図。
【図９】[0019]本開示の態様による、ＳＩＢのティア化送信の別の例を示す図。
【図１０】[0020]本開示の態様による、拡張ページングのために基地局によって実行され得る例示的な動作を示す図。
【図１１】[0021]本開示の態様による、拡張ページングのためにユーザ機器によって実行され得る例示的な動作を示す図。
【発明を実施するための形態】
【００１２】
[0022]本開示のいくつかの態様は、セルアクセスプロシージャのためのレイテンシの低減を可能にし得る技法を提供する。ＬＴＥセルアクセスプロシージャにおけるレイテンシが低減され得る例示的なプロシージャは、セル獲得およびページングを含む。
【００１３】
[0023]セル獲得は、概して、同期およびｅＮＢからシステム情報を獲得することを指す。本開示の態様は、たとえば、ある共通システム情報は第１の周期で送信され、他のシステム情報はより高い頻度で送信される、システム情報を伝達することへのティア化(tiered)手法を提供し、それは、レイテンシを低減し得る。
【００１４】
[0024]セルページングは、概して、ＵＥが決定された時間において周期的にＵＥに送られるページングメッセージを監視するページングサイクルを伴う。本開示の態様はまた、ページングプロシージャを向上させるための技法を提供し、それも、レイテンシを低減し得る。
【００１５】
[0025]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のワイヤレスネットワークおよび無線技術、ならびに他のワイヤレスネットワークおよび無線技術に使用され得る。明快のために、本技法のいくつかの態様について以下ではＬＴＥに関して説明し、以下の説明の大部分でＬＴＥ用語を使用する。
【００１６】
例示的なワイヤレスネットワーク
[0026]図１に、本明細書で説明する技法が実施され得るワイヤレス通信ネットワーク１００（たとえば、ＬＴＥネットワーク）を示す。たとえば、本技法は、ＵＥ１２０がｅＮＢ１１０とともに様々なアクセスプロシージャを実行するときのレイテンシを低減するために利用され得る。
【００１７】
[0027]ワイヤレスネットワーク１００は、いくつかの発展型ノードＢ（ｅＮＢ）１１０と他のネットワークエンティティとを含み得る。ｅＮＢは、ユーザ機器デバイス（ＵＥ）と通信する局であり得、基地局、ノードＢ、アクセスポイントなどと呼ばれることもある。各ｅＮＢ１１０は、特定の地理的エリアに通信カバレージを与え得る。「セル」という用語は、この用語が使用されるコンテキストに応じて、ｅＮＢのカバレージエリアおよび／またはこのカバレージエリアをサービスしているｅＮＢサブシステムを指すことがある。
【００１８】
[0028]ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ、自宅内のユーザのためのＵＥなど）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢと呼ばれることがある。図１に示されている例では、ｅＮＢ１１０ａ、１１０ｂ、および１１０ｃは、それぞれマクロセル１０２ａ、１０２ｂ、および１０２ｃのためのマクロｅＮＢであり得る。ｅＮＢ１１０ｘは、ピコセル１０２ｘのためのピコｅＮＢであり得る。ｅＮＢ１１０ｙおよび１１０ｚは、それぞれフェムトセル１０２ｙおよび１０２ｚのためのフェムトｅＮＢであり得る。ｅＮＢは、１つまたは複数の（たとえば、３つの）セルをサポートし得る。
【００１９】
[0029]ワイヤレスネットワーク１００はまた、中継局を含み得る。中継局は、上流局（たとえば、ｅＮＢまたはＵＥ）からデータおよび／または他の情報の送信を受信し、そのデータおよび／または他の情報の送信を下流局（たとえば、ＵＥまたはｅＮＢ）に送る局である。中継局はまた、他のＵＥに対する送信を中継するＵＥであり得る。図１に示された例では、中継局１１０ｒは、ｅＮＢ１１０ａとＵＥ１２０ｒとの間の通信を可能にするために、ｅＮＢ１１０ａおよびＵＥ１２０ｒと通信し得る。中継局は、リレーｅＮＢ、リレーなどと呼ばれることもある。
【００２０】
[0030]ワイヤレスネットワーク１００は、様々なタイプのｅＮＢ、たとえば、マクロｅＮＢ、ピコｅＮＢ、フェムトｅＮＢ、リレーなどを含む異種ネットワークであり得る。これらの異なるタイプのｅＮＢは、異なる送信電力レベル、異なるカバレージエリア、およびワイヤレスネットワーク１００における干渉に対する異なる影響を有し得る。たとえば、マクロｅＮＢは、高い送信電力レベル（たとえば、２０ワット）を有し得るが、ピコｅＮＢ、フェムトｅＮＢ、およびリレーは、より低い送信電力レベル（たとえば、１ワット）を有し得る。
【００２１】
[0031]ワイヤレスネットワーク１００は同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明する技法は、同期動作と非同期動作の両方のために使用され得る。
【００２２】
[0032]ネットワークコントローラ１３０は、ｅＮＢのセットに結合し、これらのｅＮＢの協調および制御を行い得る。ネットワークコントローラ１３０は、バックホールを介してｅＮＢ１１０と通信し得る。ｅＮＢ１１０はまた、たとえば、ワイヤレスバックホールまたはワイヤラインバックホールを介して直接または間接的に互いに通信し得る。
【００２３】
[0033]ＵＥ１２０は、ワイヤレスネットワーク１００全体にわたって分散され得、各ＵＥは固定式または移動可能であり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレットなどであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉する送信を示す。
【００２４】
[0034]ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、Ｋは、１．２５、２．５、５、１０、または２０メガヘルツ（ＭＨｚ）のシステム帯域幅に対してそれぞれ１２８、２５６、５１２、１０２４、または２０４８に等しくなり得る。システム帯域幅はまた、サブバンドに区分され得る。たとえば、サブバンドは１．０８ＭＨｚをカバーし得、１．２５、２．５、５、１０、または２０ＭＨｚのシステム帯域幅に対してそれぞれ１、２、４、８、または１６個のサブバンドがあり得る。
【００２５】
[0035]ＵＥは、複数のｅＮＢのカバレージ内にあり得る。これらのｅＮＢのうちの１つが、そのＵＥをサービスするために選択され得る。サービングｅＮＢは、たとえば、受信電力、受信品質、経路損失、信号対雑音比（ＳＮＲ：signal-to-noise ratio）など、様々な基準に基づいて選択され得る。
【００２６】
[0036]ＵＥは、ＵＥが１つまたは複数の干渉ｅＮＢからの高い干渉を観測し得る支配的干渉シナリオにおいて動作し得る。支配的干渉シナリオは、制限付き関連付けにより発生し得る。たとえば、図１では、ＵＥ１２０ｙは、フェムトｅＮＢ１１０ｙに近接し得、ｅＮＢ１１０ｙについて高い受信電力を有し得る。しかしながら、ＵＥ１２０ｙは、制限付き関連付けによりフェムトｅＮＢ１１０ｙにアクセスすることができないことがあり、次いで、（図１に示されているように）より低い受信電力をもつマクロｅＮＢ１１０ｃまたは同じくより低い受信電力をもつフェムトｅＮＢ１１０ｚ（図１に図示せず）に接続し得る。その場合、ＵＥ１２０ｙは、ダウンリンク上でフェムトｅＮＢ１１０ｙからの高い干渉を観測し得、また、アップリンク上でｅＮＢ１１０ｙに高い干渉を引き起こし得る。
【００２７】
[0037]支配的干渉シナリオはまた、範囲拡張により発生し得、これは、ＵＥが、ＵＥによって検出されたすべてのｅＮＢのうち、より低い経路損失とより低いＳＮＲとをもつｅＮＢに接続するシナリオである。たとえば、図１では、ＵＥ１２０ｘは、マクロｅＮＢ１１０ｂとピコｅＮＢ１１０ｘとを検出し得、ｅＮＢ１１０ｘについて、ｅＮＢ１１０ｂよりも低い受信電力を有し得る。とはいえ、ｅＮＢ１１０ｘの経路損失がマクロｅＮＢ１１０ｂの経路損失よりも低い場合、ＵＥ１２０ｘは、ピコｅＮＢ１１０ｘに接続することが望ましいことがある。これにより、ＵＥ１２０ｘの所与のデータレートに対してワイヤレスネットワークへの干渉が少なくなり得る。しかしながら、場合によっては、ピコｅＮＢ１１０ｘのセル範囲拡張（ＣＲＥ：cell range expansion）領域中にある間にピコｅＮＢ１１０ｘによってサービスされることは、多くの利益を与えないことがあり、事実上、サービス中断につながり得る。本開示のいくつかの態様によれば、ＵＥ１２０ｘは、高ドップラー、高相対的タイミング／周波数オフセット、処理制限、および低バッテリー電力を含むいくつかの条件を検出したことに応答して、ピコｅＮＢ１１０ｘによってサービスされることを回避し得る。これらの態様について、以下で詳細に説明する。
【００２８】
[0038]一態様では、支配的干渉シナリオにおける通信は、異なる周波数帯域上で異なるｅＮＢを動作させることによってサポートされ得る。周波数帯域は、通信のために使用され得る周波数範囲であり、（ｉ）中心周波数および帯域幅、または（ｉｉ）周波数の下限および周波数の上限によって与えられ得る。周波数帯域は、帯域、周波数チャネルなどと呼ばれることもある。異なるｅＮＢのための周波数帯域は、強いｅＮＢがそれのＵＥと通信することを可能にしながら、ＵＥが支配的干渉シナリオにおいてより弱いｅＮＢと通信することができるように選択され得る。ｅＮＢは、ＵＥにおいて受信されるｅＮＢからの信号の相対受信電力に基づいて（たとえば、ｅＮＢの送信電力レベルには基づかずに）「弱い」ｅＮＢまたは「強い」ｅＮＢとして分類され得る。
【００２９】
[0039]図２に、ＬＴＥにおいて使用されるフレーム構造を示す。ダウンリンクの送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示されているように）ノーマルサイクリックプレフィックスの場合はＬ＝７個のシンボル期間、または拡張サイクリックプレフィックスの場合はＬ＝６個のシンボル期間を含み得る。各サブフレーム中の２Ｌ個のシンボル期間は０〜２Ｌ−１のインデックスを割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００３０】
[0040]ＬＴＥでは、ｅＮＢは、ｅＮＢ中の各セルについて１次同期信号（ＰＳＳ：primary synchronization signal）と２次同期信号（ＳＳＳ：secondary synchronization signal）とを送り得る。１次同期信号および２次同期信号は、図２に示すように、それぞれ、ノーマルサイクリックプレフィックス（ＣＰ）をもつ各無線フレームのサブフレーム０および５の各々中のシンボル期間６および５中で送られ得る。同期信号は、セル検出および獲得のためにＵＥによって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００３１】
[0041]ｅＮＢは、図２に示されているように、各サブフレームの最初のシンボル期間中で物理制御フォーマットインジケータチャネル（ＰＣＦＩＣＨ：Physical Control Format Indicator Channel）を送り得る。ＰＣＦＩＣＨは、制御チャネルのために使用されるシンボル期間の数（Ｍ個）を搬送し得、ここで、Ｍは、１、２または３に等しくなり得、サブフレームごとに変化し得る。Ｍはまた、たとえば、リソースブロックが１０個未満である、小さいシステム帯域幅では４に等しくすることができる。ｅＮＢは、各サブフレームの最初のＭ個のシンボル期間中で物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る（図２に図示せず）。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間において物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。
【００３２】
[0042]ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、これらのチャネルが送られる各シンボル期間においてシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨ、およびＰＨＩＣＨを送り得、特定のＵＥにユニキャスト方式でＰＤＣＣＨを送り得、また特定のＵＥにユニキャスト方式でＰＤＳＣＨを送り得る。
【００３３】
[0043]各シンボル期間においていくつかのリソース要素が利用可能であり得る。各リソース要素（ＲＥ：resource element）は、１つのシンボル期間において１つのサブキャリアをカバーし得、実数値または複素数値であり得る１つの変調シンボルを送るために使用され得る。各シンボル期間において基準信号のために使用されないリソース要素は、リソース要素グループ（ＲＥＧ：resource element group）中に配置され得る。各ＲＥＧは１つのシンボル期間において４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。たとえば、ＰＨＩＣＨ用の３つのＲＥＧは、すべてシンボル期間０中に属し得るか、またはシンボル期間０、１および２中で拡散され得る。ＰＤＣＣＨは、たとえば、最初のＭ個のシンボル期間において、利用可能なＲＥＧから選択され得る、９個、１８個、３６個、または７２個のＲＥＧを占有し得る。ＲＥＧのいくつかの組合せのみがＰＤＣＣＨに対して可能にされ得る。
【００３４】
[0044]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索すべき組合せの数は、一般に、ＰＤＣＣＨに対して可能にされる組合せの数よりも少ない。ｅＮＢは、ＵＥが探索することになる組合せのいずれかにおいてＵＥにＰＤＣＣＨを送り得る。
【００３５】
[0045]図２Ａに、ＬＴＥにおけるアップリンクのための例示的なフォーマット２００Ａを示す。アップリンクのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれないすべてのリソースブロックを含み得る。図２Ａの設計は、単一のＵＥがデータセクション中の連続サブキャリアのすべてを割り当てられることを可能にし得る、連続サブキャリアを含むデータセクションを生じる。
【００３６】
[0046]ＵＥは、ｅＮＢに制御情報を送信するために、制御セクション中のリソースブロックを割り当てられ得る。ＵＥは、ノードＢにデータを送信するために、データセクション中のリソースブロックをも割り当てられ得る。ＵＥは、制御セクション中の割り当てられたリソースブロック上の物理アップリンク制御チャネル（ＰＵＣＣＨ：Physical Uplink Control Channel）２１０ａ、２１０ｂ中で制御情報を送信し得る。ＵＥは、データセクション中の割り当てられたリソースブロック上の物理アップリンク共有チャネル（ＰＵＳＣＨ：Physical Uplink Shared Channel）２２０ａ、２２０ｂ中でデータまたはデータと制御情報の両方を送信し得る。アップリンク送信は、サブフレームの両方のスロットにわたり得、図２Ａに示されているように周波数上でホッピングし得る。
【００３７】
[0047]図３に、図１の基地局／ｅＮＢのうちの１つであり得る基地局またはｅＮＢ１１０と、図１のＵＥのうちの１つであり得るＵＥ１２０との設計のブロック図を示す。ｅＮＢ１１０とＵＥ１２０とは、本明細書で説明する動作を実行するように構成され得る。たとえば、図示のように、ｅＮＢ１１０は、ティア化様式でＵＥ１２０にシステム情報を伝達するように構成され得る。以下でより詳細に説明するように、ティア化手法は、第１の周期で（セルのグループに共通の）共通システム情報のセットを送信することと、より頻繁にセル固有システム情報のセットを送信することとを伴い得る。
【００３８】
[0048]制限付き関連付けシナリオの場合、ｅＮＢ１１０は図１のマクロｅＮＢ１１０ｃであり得、ＵＥ１２０はＵＥ１２０ｙであり得る。ｅＮＢ１１０はまた、何らかの他のタイプの基地局であり得る。ｅＮＢ１１０はＴ個のアンテナ３３４ａ〜３３４ｔを装備し得、ＵＥ１２０はＲ個のアンテナ３５２ａ〜３５２ｒを装備し得、ここで、概してＴ≧１およびＲ≧１である。
【００３９】
[0049]ｅＮＢ１１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ３２０は、データシンボルおよび制御シンボルを取得するために、それぞれデータおよび制御情報を処理（たとえば、符号化およびシンボルマッピング）し得る。送信プロセッサ３２０はまた、たとえば、ＰＳＳ、ＳＳＳ、およびセル固有基準信号のための基準シンボルを生成し得る。送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、Ｔ個の出力シンボルストリームをＴ個の変調器（ＭＯＤ）３３２ａ〜３３２ｔに与え得る。各変調器３３２は、出力サンプルストリームを取得するために、（たとえば、ＯＦＤＭなどのために）それぞれの出力シンボルストリームを処理し得る。各変調器３３２はさらに、ダウンリンク信号を取得するために、出力サンプルストリームを処理（たとえば、アナログへの変換、増幅、フィルタ処理、およびアップコンバート）し得る。変調器３３２ａ〜３３２ｔからのＴ個のダウンリンク信号は、それぞれＴ個のアンテナ３３４ａ〜３３４ｔを介して送信され得る。
【００４０】
[0050]ＵＥ１２０において、アンテナ３５２ａ〜３５２ｒが、ｅＮＢ１１０からダウンリンク信号を受信し得、受信信号をそれぞれ復調器（ＤＥＭＯＤ）３５４ａ〜３５４ｒに与え得る。各復調器３５４は、入力サンプルを取得するために、それぞれの受信信号を調整（たとえば、フィルタ処理、増幅、ダウンコンバート、およびデジタル化）し得る。各復調器３５４はさらに、受信シンボルを取得するために、（たとえば、ＯＦＤＭなどのために）入力サンプルを処理し得る。ＭＩＭＯ検出器３５６は、Ｒ個の復調器３５４ａ〜３５４ｒのすべてから受信シンボルを取得し、適用可能な場合は受信シンボルに対してＭＩＭＯ検出を実行し、検出シンボルを与え得る。受信プロセッサ３５８は、検出シンボルを処理（たとえば、復調、デインターリーブ、および復号）し、ＵＥ１２０のための復号されたデータをデータシンク３６０に与え、復号された制御情報をコントローラ／プロセッサ３８０に与え得る。
【００４１】
[0051]アップリンク上では、ＵＥ１２０において、送信プロセッサ３６４が、データソース３６２から（たとえば、ＰＵＳＣＨのための）データを受信し、処理し得、コントローラ／プロセッサ３８０から（たとえば、ＰＵＣＣＨのための）制御情報を受信し、処理し得る。送信プロセッサ３６４はまた、基準信号のための基準シンボルを生成し得る。送信プロセッサ３６４からのシンボルは、適用可能な場合はＴＸ  ＭＩＭＯプロセッサ３６６によってプリコーディングされ、さらに（たとえば、ＳＣ−ＦＤＭなどのために）変調器３５４ａ〜３５４ｒによって処理され、ｅＮＢ１１０に送信され得る。ｅＮＢ１１０において、ＵＥ１２０からのアップリンク信号は、アンテナ３３４によって受信され、復調器３３２によって処理され、適用可能な場合はＭＩＭＯ検出器３３６によって検出され、ＵＥ１２０によって送られた復号されたデータと制御情報とを取得するために、受信プロセッサ３３８によってさらに処理され得る。受信プロセッサ３３８は、復号されたデータをデータシンク３３９に与え、復号された制御情報をコントローラ／プロセッサ３４０に与え得る。
【００４２】
[0052]コントローラ／プロセッサ３４０、３８０は、それぞれｅＮＢ１１０およびＵＥ１２０における動作を指示し得る。ＵＥ１２０におけるコントローラ／プロセッサ３８０ならびに／または他のプロセッサおよびモジュールは、本明細書で説明するように、図６に示されている動作６００および／または図１１に示されている動作１１００、ならびに／あるいはＥ−ＵＴＲＡＮのためのシステムアクセスを拡張するための技法のための他のプロセスを実行または指示し得る。ｅＮＢ１１０におけるコントローラ／プロセッサ３４０ならびに／または他のプロセッサおよびモジュールは、本明細書で説明するように、図５に示されている動作５００および／または図１０に示されている動作１０００、ならびに／あるいはＥ−ＵＴＲＡＮのためのシステムアクセスを拡張するための技法のための他のプロセスを実行または指示し得る。メモリ３４２および３８２は、それぞれｅＮＢ１１０およびＵＥ１２０のためのデータおよびプログラムコードを記憶し得る。スケジューラ３４４は、ダウンリンクおよび／またはアップリンク上でのデータ送信のためにＵＥをスケジュールし得る。
【００４３】
拡張システムアクセス
[0053]上述のように、本開示のいくつかの態様は、たとえば、同期およびシステム情報を獲得するとき、システムアクセスレイテンシの低減を可能にし得る技法を提供する。本開示のいくつかの態様は、ページングに関連するレイテンシの低減を可能にし得る。ページングプロシージャのそのような改善は、ＵＥが、アイドルモードから、たとえば、接続モードへのより速い遷移を行うことを可能にし得る。
【００４４】
[0054]いくつかの態様によれば、セル獲得中のレイテンシは、ＬＴＥシステムについて現在５ｍｓである１次同期信号（ＰＳＳ）周期を５ｍｓ未満に低減することによって低減され得る。セル探索中に（たとえば、電源投入の後）、ＵＥは、ｅＮＢによってブロードキャストされるＰＳＳ信号を獲得することによって、セルラーネットワークを獲得し、それと同期するように試みる。ＵＥは、次いで、２次同期信号（ＳＳＳ）シンボルがＰＳＳと同じサブフレーム中にあるがＰＳＳの前のシンボル中にあるので、ＰＳＳに基づいてＳＳＳを獲得し得る。
【００４５】
[0055]ＰＳＳは、現在、無線フレームの第１のサブフレーム（サブフレーム０）の第１のタイムスロットの最後のＯＦＤＭシンボル中に配置され、サブフレーム５中で繰り返される。各サブフレームが１ｍｓであるので、ＰＳＳ／ＳＳＳの現在の送信時間間隔（ＴＴＩ）は５ｍｓである。このＰＳＳ／ＳＳＳ持続時間は、ＰＳＳ／ＳＳＳがより高い頻度でブロードキャストされるように低減され得る。１つのそのような低減された持続時間は、２．５ｍｓのＰＳＳ／ＳＳＳのＴＴＩを含み得る。
【００４６】
[0056]そのようなタイミングは、現在の（レガシー）タイミングとの後方互換性があるままで、セル獲得中にそのような低減されたレイテンシをサポートするＵＥが（５ｍｓ  ＴＴＩを用いて送信されるＰＳＳを監視する）レガシーＵＥよりも速くＰＳＳ／ＳＳＳ信号を取得することを可能にすることになる。同様に、この新しい周期でＰＳＳを送信するｅＮＢは、レガシーＵＥと後方互換性がある（およびレガシーＵＥによって検出可能である）ままである。このＴＴＩ低減を可能にすることは、たとえば、ＰＨＹおよびＭＡＣタイミングをスケーリングすることによってまたはＬＴＥのために現在使用されるものとは異なる全体的サブフレームタイミングを用いて達成され得る。
【００４７】
[0057]いくつかの態様では、マスタ情報ブロック（ＭＩＢ）周期を低減することによってセルラー獲得中のレイテンシが低減され得る。セル獲得中に、ＵＥは、セルにキャンプオンするために必要な情報を獲得するために、ＭＩＢを検出し、読み取る。この情報は、チャネル帯域幅情報、システムフレーム番号（ＳＦＮ）、および物理チャネルハイブリッドＡＲＱインジケータチャネル（ＰＨＩＣＨ）構成情報を含み得る。
【００４８】
[0058]現在の実装形態では、新しいＭＩＢが、１０ｍｓの持続時間を有する無線フレームごとにブロードキャストされ、それについて、４０ｍｓ周期で、ＳＦＮ  ｍｏｄ  ４は０に等しい。ＭＩＢのコピーが、１０ｍｓ周期で、無線フレームごとにブロードキャストされる。このＭＩＢ周期は、新しいＭＩＢおよびＭＩＢのコピーがより高い頻度でブロードキャストされ得るように低減され得る。１つのそのような低減された持続時間は、２０ｍｓの新しいＭＩＢブロードキャスト周期と５ｍｓのＭＩＢのコピーの周期とを含み得る。上記のＰＳＳ／ＳＳＳのための低減されたＴＴＩの場合と同様に、この低減された持続時間は、ＰＨＹおよびＭＡＣタイミングをスケーリングすることによって、またはＬＴＥのために現在使用されるものとは異なる全体的サブフレームタイミングを用いて達成され得る。
【００４９】
[0059]セル獲得中にレイテンシを低減するための別のオプションは、ＭＩＢおよびシステム情報ブロック１（ＳＩＢ１）など、情報ブロックを１つのメッセージに組み合わせることである。セル獲得中に、ＵＥは、ＳＩＢ１をも検出し、読み取る。ＳＩＢ１ブロードキャストは、セルアクセスパラメータに関係するセル中のすべてのＵＥに共通の情報、ならびに他のシステム情報ブロックのスケジューリングに関係する情報を含んでいる。現在の実装形態では、ＳＩＢ１は、ＳＦＮ  ｍｏｄ  ８が０に等しいＳＦＮのサブフレーム番号５中でブロードキャストされる。ＳＩＢ１のコピーは、ＳＦＮ  ｍｏｄ  ２が０に等しいＳＦＮのサブフレーム番号５中で繰り返され得る。ＵＥがＳＩＢ１を受信するために必要とされる時間を低減するために、ＳＩＢ１は、ＭＩＢと同じメッセージ中でブロードキャストされ得る。
【００５０】
[0060]同様にして、セル獲得中のレイテンシは、ＳＩＢ１およびシステム情報ブロック２（ＳＩＢ２）を１つのメッセージに組み合わせることによって低減され得る。ＭＩＢ、ＳＩＢ１およびＳＩＢ２は、ＵＥがセルを獲得し、キャンプオンするために必要とされ、セル獲得中に、ＵＥはＳＩＢ２をも検出し、読み取る。ＳＩＢ２ブロードキャストは、ランダムアクセスチャネル関係パラメータ、アイドルモードページング構成、アップリンク物理制御チャネル（ＰＵＣＣＨ）およびアップリンク共有チャネル（ＰＵＳＣＨ）構成など、すべてのＵＥにとって共通である無線リソース構成情報を含んでいる。ＳＩＢ１は通常スケジュールでブロードキャストされ、ＳＩＢ２は、ＳＩＢ１において記述されたスケジュールでブロードキャストされる。ＵＥが、ＳＩＢ２タイミングを取得するためにＳＩＢ１を受信および復号し、次いでＳＩＢ２をリッスンするために、指定された時間の間待たなければならないので、有意な時間の量が、ＳＩＢ１およびＳＩＢ２中に含まれている情報を獲得することに費やされ得る。このレイテンシは、ＳＩＢ１メッセージとＳＩＢ２メッセージとを組み合わせて単一の組み合わせられたメッセージにすることによって低減され得る。
【００５１】
[0061]上述のように、セル獲得中にレイテンシを低減するための別のオプションは、ティア化様式でシステム情報を伝達することである。たとえば、図４に、ティア化ＳＩＢ送信の一例４００を概念的に示す。図示の例に示されているように、共通（またはベース）情報は、第１の周期で（たとえば、示されているように５つのサブフレームごとに）送信され得、動的ＳＩＢ情報は、より頻繁に（たとえば、サブフレームごとに）送信され得る。いくつかの場合には、共通ＳＩＢ情報は、ｅＮＢのセットに（たとえば、ネイバリングセルの定義されたセットのために）共通であり得、一方、動的情報は、各セルについて異なり得る。
【００５２】
[0062]ティア化ＳＩＢ送信のこの手法は、セル獲得中にレイテンシを低減するのを助け得る。上述のように、現在、ＳＩＢ１ブロードキャストとＳＩＢ２ブロードキャストの両方が、セル中のすべてのＵＥに共通の情報を含み得る。いくつかの態様では、ＳＩＢ１およびＳＩＢ２中に含まれている情報は、セルのエリアに共通の情報と個々のセルに固有の情報とに分割され得る。
【００５３】
[0063]セルエリアの集合に共通の情報は、半静的ベースＳＩＢ（たとえば、図４に示されている共通ＳＩＢ）にグループ化され得、単一のセルに関連するものなど、セル固有情報は、動的ＳＩＢ（たとえば、図４に示されている動的ＳＩＢ）にグループ化され得る。トラッキングエリアリストと同様のリストが、共通ＳＩＢが有効であるエリアを識別するために使用され得る。セル単位動的ＳＩＢは、ベースＳＩＢよりも高い頻度でブロードキャストされ得、セル固有情報とより高い頻度で変化する情報とを含み得る。たとえば、セルＩＤおよびＳＩＢ自体のための値タグなど、いくつかの情報要素（ＩＥ）は、各セルについて異なり得、動的ＳＩＢ中で適宜にブロードキャストされ得る。アクセスパラメータ（ＰＲＡＣＨ）、最大ＵＥ電力、およびハンドオーバ構成など、他のＩＥは、セル固有であることも、そうでないこともあり得、事業者構成に応じて動的ＳＩＢ中でブロードキャストされ得る。セルアクセスおよび無線リソース管理（ＲＲＭ：radio resource management）関係パラメータなど、セル固有でないが比較的頻繁に変化し得るいくつかのＩＥも、ＵＥがこれらのＩＥを迅速に得ることが重要であるので、動的ＳＩＢ中に含まれ得る。しかしながら、動的ＳＩＢは、現在のＳＩＢよりも頻繁に送信されるので、オーバーエアタイムを低減するためにそれらのサイズを小さく保つことが望ましいことがあり、ＰＬＭＮ識別情報および帯域インジケータのようなｅＮＢ構成パラメータなど、セル固有でなく、あまり頻繁に変化しないＩＥは、共通ＳＩＢ中でより適宜にブロードキャストされる。また、初期セル獲得に関連する情報は、レイテンシが初期セル獲得のためにそれほど問題ではないので、共通ＳＩＢ中でより適宜にブロードキャストされる。
【００５４】
[0064]いくつかの場合には、ＵＥは、セルのエリアに共通の情報をキャッシュし、セル再選択のために必要に応じて動的ＳＩＢを急速に獲得し得る。ＳＩＢのティア化送信の場合、ＵＥはまた、ネットワーク全体のためのシステム情報またはネイバーセル情報を選択的にキャッシュするように構成され得る。いくつかの場合には、ベースＳＩＢ中の情報のための有効な時間期間を示す値をもつ有効性タイマーが、ベースＳＩＢを用いてブロードキャストされ、ベースＳＩＢ中の情報の全部または一部が満了されることを可能にし得る。この残り時間は、ＴＴＩ単位またはミリ秒単位であり得る。
【００５５】
[0065]図５に、本開示の態様による、ティア化様式でシステム情報を伝達するために基地局によって実行され得る例示的な動作５００を示す。動作５００は、５０２において、エリア中のセルのグループの各セルに共通の第１のシステム情報（たとえば、共通ＳＩＢ）をブロードキャストすることによって開始する。５０４において、基地局は、グループ中のセル間で変動し得る第２のシステム情報（たとえば、動的ＳＩＢ）をブロードキャストし、ここにおいて、第２のシステム情報が、第１のシステム情報よりも頻繁にブロードキャストされる。
【００５６】
[0066]図６に、本開示の態様による、ティア化様式で伝達されるシステム情報を取得するためにユーザ機器によって実行され得る例示的な動作６００を示す。言い換えれば、動作６００は、図５に示されているｅＮＢ側動作５００と相補的なＵＥ側動作と見なされ得る。
【００５７】
[0067]動作６００は、６０２において、セルのグループの各セルに共通の第１のシステム情報のブロードキャストを受信することによって開始する。６０４において、ＵＥは、グループ中のセル間で変動し得る第２のシステム情報を備える第２のブロードキャストメッセージを受信し、ここにおいて、第２のシステム情報が、第１のシステム情報よりも頻繁にブロードキャストされる。
【００５８】
[0068]図７に、ＳＩＢメッセージのティア化送信のさらなる一例７００を概念的に示すブロック図を示す。図示の例では、共通エリア７００中のセルのグループ（セル７１０、セル７２０、およびセル７３０）が、（共通ＳＩＢ７７０として伝達される）共通システム情報のセットを共有する。言い換えれば、共通ＳＩＢ７７０は、エリア７００中の各セルによってブロードキャストされ得る。いくつかの場合には、共通ＳＩＢ７７０は、より大きいダイバーシティを可能にするために、たとえば、物理マルチキャストチャネル（ＰＭＣＨ）または同様の共有同期チャネル上で、マルチキャストされ得る。図示のように、エリア７００は、トラッキングエリア（ＴＡ）と同様のネイバーセルのグループをカバーし得る。しかしながら、従来のＴＡは大きすぎることがあり、したがって、共通ＳＩＢを共有するセルのグループのための新しいタイプのエリアが定義され得る。
【００５９】
[0069]セル間で変化し得る動的システム情報が、各セルによって共通システム情報よりも頻繁にブロードキャストされ得る。図示の例では、セル７１０、セル７２０、およびセル７３０は、それらのそれぞれの動的ＳＩＢ（動的ＳＩＢ７４０／７５０／７６０）を共通ＳＩＢ７７０よりも頻繁にブロードキャストし得る。ＵＥ７８０は、共通ＳＩＢ７７０と動的ＳＩＢ７４０の両方を取得した後、セル７１０のためのシステム獲得を完了し得る。
【００６０】
[0070]いくつかの態様では、エリア７００中のセルのための初期獲得は、ＵＥ７８０が共通ＳＩＢ７７０のブロードキャストを待つことを必要とし得るが、ＵＥ７８０は、この情報をキャッシュし、それを、エリア７００内の別のセルに移動するときに獲得時間を低減するために使用し得る。
【００６１】
[0071]たとえば、図８に示されているように、ＵＥ７８０がセル７１０からセル７２０に移動する場合、ＵＥ７８０は、共通ＳＩＢ７７０をすでにキャッシュしたので、（セル７２０中でブロードキャストされる）動的ＳＩＢ７５０を取得する必要があるにすぎない。いくつかの態様では、ＵＥ７８０は、たとえば、対応する有効性タイマーが満了したか、またはＵＥ７８０が、システム情報が変化したという何らかの他の指示を受信するまで、キャッシュされた情報を使用し得る。言い換えれば、ＵＥ７８０は、その情報が満了したとき、変化したとき、またはＵＥが、異なる共通ＳＩＢをもつ別のエリアに移動する場合、共通ＳＩＢ情報を再び取得する必要があるにすぎないことがある。
【００６２】
[0072]この後者の例は図９に示されており、ここで、ＵＥ７８０はエリア７００から新しいエリア９００に移動する。この場合、ＵＥ７８０は、システム獲得を完了するために、エリア９００のための共通システム情報（共通ＳＩＢ９７０）と、ＵＥ７８０が入った特定のセルのための動的システム情報（それがセル９２０に入ると仮定すると、動的ＳＩＢ９５０）の両方を取得する必要があり得る。
【００６３】
[0073]本明細書で説明するように、ＳＩＢのティア化送信は、ＵＥがＳＩＢ情報をキャッシュすることとともに、ベースＳＩＢがより低い頻度で送られることを可能にし得る。しかしながら、ベースＳＩＢブロードキャスト間の長い期間は、ＵＥが有効なキャッシュされたベースＳＩＢをもう有しない場合、初期セル獲得を遅くし得る。いくつかの態様では、ＵＥは、共通ＳＩＢから情報を獲得するために、ネットワークシステム情報を用いて事前構成され、ネットワークを照会し得る。ベースＳＩＢが有効性タイマーの満了より前に変化する場合、たとえば、ページングメッセージを介したページングが、ＳＩＢ変化に関してＵＥに通知するために使用され得る。ページは、各ティア、ベースＳＩＢまたは動的ＳＩＢについて別個の値タグを含み得る。
【００６４】
[0074]いくつかの態様では、セルアクセスプロシージャ中のレイテンシを低減することは、低減されたページングサイクルの使用を通して達成され得る。ページングは、ネットワークがＵＥのための情報を有することをネットワークがＵＥに通知することを可能にする。ＵＥは、アイドルモードにある間にページを監視し、関連するページを受信すると接続モードに遷移し得る。たとえば、レガシーＵＥおよびデバイスは、３２０ｍｓページングサイクルを利用する。いくつかの態様によれば、ネットワークは、低減されたページングサイクルをサポートするように構成され得、低減されたページングサイクルの使用をサポートするＵＥは、（たとえば、ＰＳＳ／ＳＳＳを介して）ネットワークを検出し、次いで、そのネットワークが低減されたページングサイクルを使用することを要求し得る。代替的に、低減されたページングサイクルを使用するという決定は、たとえば、基地局とＵＥとの間のトラフィックのタイプ（および／または量）、ネットワークＡＰＮ、またはＵＥによって使用されるランダムアクセスチャネル（ＲＡＣＨ）プロシージャリソース識別子またはプリアンブルに基づき得る。
【００６５】
[0075]図１０に、本開示の態様による、低減されたページングサイクルを用いたページングのための例示的な動作１０００を示す。動作１０００は、１００２において、低減されたページングサイクルをサポートする第１のタイプのユーザ機器（ＵＥ）をページングするために、低減されたページングサイクルを使用することを決定することによって開始し得、低減されたページングサイクルは、低減されたページングサイクルをサポートしない第２のタイプのＵＥとともに使用されるページングサイクルに対してより短い期間を有する。１００４において、低減されたページングサイクルに従ってＵＥをページングすること。１００６において、第１のタイプのＵＥとともに使用される低減されたページングサイクルよりも長い期間を有する別のページングサイクルに従って、第２のタイプのＵＥをページングすること。
【００６６】
[0076]図１１に、本開示の態様による、低減されたページングサイクルを用いたページングを監視するためにユーザ機器によって実行され得る例示的な動作１１００を示す。言い換えれば、動作１１００は、図１０に示されているｅＮＢ側動作１０００と相補的なＵＥ側動作と見なされ得る。
【００６７】
[0077]動作１１００は、１１１２において、低減されたページングサイクルの使用をサポートするＵＥの能力をシグナリングすることによって開始し得、低減されたページングサイクルは、低減されたページングサイクルをサポートしない第２のタイプのＵＥによって使用されるページングサイクルに対してより短い期間を有する。１１０４において、ユーザ機器は、基地局との低レイテンシベアラを確立する。１１０６において、ユーザ機器は、低減されたページングサイクルに従って、基地局からページを受信する。
【００６８】
[0078]いくつかの場合には、レガシーデバイスとの後方互換性を維持し、さらに低レイテンシトラフィックを可能にするために、より短いページングサイクルがＵＥまたはアプリケーションに基づいて可能にされ得る。たとえば、モビリティ管理エンティティ（ＭＭＥ）など、ネットワーク要素は、ＵＥ識別情報、またはより短いページングサイクルについてのＵＥ要求に基づいて、より短いページングサイクルを使用することを決定（determine）または決定（decide）し得る。別の例として、ＵＥは、たとえば、ＵＥ能力情報要素（ＩＥ）中によって、より短いページングサイクルをサポートするそれの能力を示し得る。ＵＥはまた、ＵＥが低レイテンシトラフィックを有するとき、またはＵＥが、たとえば、バッテリー寿命が問題でないとき、より短いページングサイクルを監視するためのリソースを有するとき、非アクセス層（ＮＡＳ）プロトコルを介してより短いページングサイクルを要求し得る。
【００６９】
[0079]いくつかの場合には、ＭＭＥ、または他のネットワーク要素は、ＵＥアクティビティ、要求、またはトラフィックの履歴を保持し、この履歴に基づいてより短いページングサイクルを使用することを決定し得る。この決定は、たとえば、低レイテンシベアラの確立時、またはネットワークがベアラ上で低レイテンシアクティビティを予想するとき、接続モードにおいてベアラごとに行われ得る。より短いページングサイクルを使用するという決定は、あるアクセスポイント名（ＡＰＮ）がアクティブである（すなわち、ＡＰＮに属するベアラが確立される）かどうかに基づき得、ここで、ＡＰＮは、より低いレイテンシ動作に関連し、より短いページングサイクルが仮定され得る。ＲＡＣＨリソース識別子および／または（たとえば、ＰＵＳＣＨのために使用すべきリソースブロックを識別する）ＰＵＳＣＨパラメータのための識別子など、１つまたは複数のパラメータも、（たとえば、競合を回避することによって）接続モードへのより速い遷移を可能にするために、ページング中に含まれ得る。
【００７０】
[0080]上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。
【００７１】
[0081]取得する（たとえば、受信する）ための手段は、図３に示されている受信機（たとえば、復調器３３２および３５４）ならびに／または（１つまたは複数の）アンテナ３３４および３５２を備え得る。送信するための手段、ブロードキャストするための手段、出力するための手段、およびページングするための手段は、図３に示されている送信機（たとえば、変調器３３２および３５４）ならびに／または（１つまたは複数の）アンテナ３３４および３５２を備え得る。
【００７２】
[0082]生成するための手段、検出するための手段、決定するための手段、取得するための手段、選択するための手段、調整するための手段、処理するための手段、キャッシュするための手段、利用するための手段、ブロードキャストするための手段、確立するための手段、シグナリングするための手段、および／または与えるための手段は、図３に描かれているプロセッサ３２０、３４０、３３８、３５８、３８０、および３６４など、１つまたは複数のプロセッサを含み得る処理システムを含み得る。
【００７３】
[0083]いくつかの場合には、フレームを実際に送信するのではなく、デバイスは、送信のためにフレームを出力するためのインターフェースを有し得る。たとえば、プロセッサは、バスインターフェースを介して、送信のために無線周波数（ＲＦ）フロントエンドにフレームを出力し得る。同様に、フレームを実際に受信するのではなく、デバイスが、別のデバイスから受信されたフレームを取得するためのインターフェースを有し得る。たとえば、プロセッサは、バスインターフェースを介して、受信のためにＲＦフロントエンドからフレームを取得（または受信）し得る。
【００７４】
[0084]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００７５】
[0085]さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈されるべきではない。
【００７６】
[0086]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００７７】
[0087]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、および／または記憶媒体に情報を書き込むことができるように、プロセッサに結合される。代替として、記憶媒体はプロセッサと一体であり得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【００７８】
[0088]本明細書で開示した方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく変更され得る。
【００７９】
[0089]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００８０】
[0090]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。本開示についての以上の説明は、いかなる当業者も本開示を作成または使用することができるように与えたものである。本開示への様々な修正は当業者には容易に明らかになり、本明細書で定義された一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
［Ｃ１］
ワイヤレス通信のための方法であって、
低減されたページングサイクルをサポートする第１のタイプのユーザ機器（ＵＥ）をページングするために、前記低減されたページングサイクルを使用することを決定することと、前記低減されたページングサイクルが、前記低減されたページングサイクルをサポートしない第２のタイプのＵＥとともに使用されるページングサイクルに対してより短い期間を有する、
前記低減されたページングサイクルに従って前記第１のタイプの前記ＵＥをページングすることとを備える、方法。
［Ｃ２］
前記第１のタイプのＵＥとともに使用される前記低減されたページングサイクルよりも長い期間を有する別のページングサイクルに従って、前記第２のタイプのＵＥをページングすることをさらに備える、Ｃ１に記載の方法。
［Ｃ３］
前記低減されたページングサイクルを使用することを決定することが、モビリティ管理エンティティ（ＭＭＥ）によって実行される、Ｃ１に記載の方法。
［Ｃ４］
ＵＥ能力情報に基づいて、前記第１のタイプの前記ＵＥが前記低減されたページングサイクルをサポートすることが可能であると決定することをさらに備える、Ｃ１に記載の方法。
［Ｃ５］
前記低減されたページングサイクルを使用するために、前記第１のタイプの前記ＵＥから要求を受信することをさらに備え、ここにおいて、前記低減されたページングサイクルを使用することを決定することが、前記要求に少なくとも部分的に基づく、Ｃ１に記載の方法。
［Ｃ６］
前記第１のタイプの前記ＵＥの識別情報を決定することをさらに備え、ここにおいて、前記低減されたページングサイクルを使用することを決定することが、前記識別情報に少なくとも部分的に基づく、Ｃ１に記載の方法。
［Ｃ７］
前記低減されたページングサイクルを使用することを決定することは、１つまたは複数のアクセスポイント名（ＡＰＮ）がアクティブであることに少なくとも部分的に基づく、Ｃ１に記載の方法。
［Ｃ８］
前記低減されたページングサイクルを使用することを決定することが、
低レイテンシベアラの確立、または
低レイテンシベアラ上の予想されるアクティビティのうちの少なくとも１つに少なくとも部分的に基づく、Ｃ１に記載の方法。
［Ｃ９］
前記低減されたページングサイクルを使用することを決定することが、前記第１のタイプの前記ＵＥのアクティビティまたはトラフィックのうちの少なくとも１つの履歴に少なくとも部分的に基づく、Ｃ１に記載の方法。
［Ｃ１０］
前記第１のタイプの前記ＵＥをページングするとき、前記第１のタイプの前記ＵＥがランダムアクセスチャネル（ＲＡＣＨ）プロシージャを実行するときに使用するためのＲＡＣＨリソース識別子を与えることをさらに備える、Ｃ１に記載の方法。
［Ｃ１１］
前記第１のタイプの前記ＵＥをページングするとき、前記第１のタイプの前記ＵＥがアップリンク送信のために使用するための１つまたは複数のパラメータを与えることをさらに備える、Ｃ１に記載の方法。
［Ｃ１２］
ユーザ機器（ＵＥ）によるワイヤレス通信の方法であって、
低減されたページングサイクルの使用をサポートする前記ＵＥの能力をシグナリングすることと、前記低減されたページングサイクルが、前記低減されたページングサイクルをサポートしない第２のタイプのＵＥによって使用されるページングサイクルに対してより短い期間を有する、
前記低減されたページングサイクルに従って、基地局からページを受信することとを備える、方法。
［Ｃ１３］
能力を前記シグナリングすることが、少なくとも部分的に、前記基地局に、前記低減されたページングサイクルのサポートを示すＵＥ能力情報を送信することをさらに備える、Ｃ１２に記載の方法。
［Ｃ１４］
能力を前記シグナリングすることが、少なくとも部分的に、前記基地局に、前記低減されたページングサイクルを使用するための要求を送信することをさらに備える、Ｃ１２に記載の方法。
［Ｃ１５］
能力を前記シグナリングすることが、少なくとも部分的に、前記基地局に、前記ＵＥの識別子を送信することをさらに備える、Ｃ１２に記載の方法。
［Ｃ１６］
前記基地局に、前記低減されたページングサイクルに関連する１つまたは複数のアクセスポイント名（ＡＰＮ）に属する１つまたは複数のベアラ上で送信することをさらに備える、Ｃ１２に記載の方法。
［Ｃ１７］
前記基地局との低レイテンシベアラを確立することをさらに備える、Ｃ１２に記載の方法。
［Ｃ１８］
前記ＵＥがランダムアクセスチャネル（ＲＡＣＨ）プロシージャを実行するときに使用するためのＲＡＣＨリソース識別子を含むページを前記基地局から受信することをさらに備える、Ｃ１２に記載の方法。
［Ｃ１９］
前記ＵＥがアップリンク送信のために使用するための１つまたは複数のパラメータを含むページを前記基地局から受信することをさらに備える、Ｃ１２に記載の方法。
［Ｃ２０］
ワイヤレス通信のための装置であって、少なくとも１つのプロセッサと、命令がその上に記憶された、前記少なくとも１つのプロセッサに結合されたメモリとを備え、ここにおいて、
前記少なくとも１つのプロセッサは、
低減されたページングサイクルをサポートする第１のタイプのユーザ機器（ＵＥ）をページングするために、前記低減されたページングサイクルを使用することを決定することと、前記低減されたページングサイクルが、前記低減されたページングサイクルをサポートしない第２のタイプのＵＥとともに使用されるページングサイクルに対してより短い期間を有する、
前記低減されたページングサイクルに従って前記第１のタイプの前記ＵＥをページングすることとを行うように構成された、装置。
［Ｃ２１］
前記少なくとも１つのプロセッサが、前記第１のタイプのＵＥとともに使用される前記低減されたページングサイクルよりも長い期間を有する別のページングサイクルに従って、前記第２のタイプのＵＥをページングするようにさらに構成された、Ｃ２０に記載の装置。
［Ｃ２２］
前記低減されたページングサイクルを使用することを決定することが、モビリティ管理エンティティ（ＭＭＥ）によって実行される、Ｃ２０に記載の装置。
［Ｃ２３］
前記少なくとも１つのプロセッサは、ＵＥ能力情報に基づいて、前記第１のタイプの前記ＵＥが前記低減されたページングサイクルをサポートすることが可能であると決定するようにさらに構成された、Ｃ２０に記載の装置。
［Ｃ２４］
前記少なくとも１つのプロセッサが、前記低減されたページングサイクルを使用するために、前記第１のタイプの前記ＵＥから要求を受信するようにさらに構成され、ここにおいて、前記低減されたページングサイクルを使用することを決定することが、前記要求に少なくとも部分的に基づく、Ｃ２０に記載の装置。
［Ｃ２５］
前記少なくとも１つのプロセッサが、前記第１のタイプの前記ＵＥの識別情報を決定するようにさらに構成され、ここにおいて、前記低減されたページングサイクルを使用することを決定することが、前記識別情報に少なくとも部分的に基づく、Ｃ２０に記載の装置。
［Ｃ２６］
前記低減されたページングサイクルを使用することを決定することは、１つまたは複数のアクセスポイント名（ＡＰＮ）がアクティブであることに少なくとも部分的に基づく、Ｃ２０に記載の装置。
［Ｃ２７］
前記低減されたページングサイクルを使用することを決定することが、
低レイテンシベアラの確立、または
低レイテンシベアラ上の予想されるアクティビティのうちの少なくとも１つに少なくとも部分的に基づく、Ｃ２０に記載の装置。
［Ｃ２８］
前記低減されたページングサイクルを使用することを決定することが、前記第１のタイプの前記ＵＥのアクティビティまたはトラフィックのうちの少なくとも１つの履歴に少なくとも部分的に基づく、Ｃ２０に記載の装置。
［Ｃ２９］
前記少なくとも１つのプロセッサは、前記ＵＥをページングするとき、前記第１のタイプの前記ＵＥがランダムアクセスチャネル（ＲＡＣＨ）プロシージャを実行するときに使用するためのＲＡＣＨリソース識別子を与えるようにさらに構成された、Ｃ２０に記載の装置。
［Ｃ３０］
前記少なくとも１つのプロセッサは、前記ＵＥをページングするとき、前記第１のタイプの前記ＵＥがアップリンク送信のために使用するための１つまたは複数のパラメータを与えるようにさらに構成された、Ｃ２０に記載の装置。
［Ｃ３１］
ユーザ機器（ＵＥ）によるワイヤレス通信のための装置であって、少なくとも１つのプロセッサと、命令がその上に記憶された、前記少なくとも１つのプロセッサに結合されたメモリとを備え、ここにおいて、
前記少なくとも１つのプロセッサは、
低減されたページングサイクルの使用をサポートする前記ＵＥの能力をシグナリングすることと、前記低減されたページングサイクルが、前記低減されたページングサイクルをサポートしない第２のタイプのＵＥによって使用されるページングサイクルに対してより短い期間を有する、
前記低減されたページングサイクルに従って、基地局からページを受信することとを行うように構成された、装置。
［Ｃ３２］
能力を前記シグナリングすることが、少なくとも部分的に、前記基地局に、前記低減されたページングサイクルのサポートを示すＵＥ能力情報を送信することを備える、Ｃ３１に記載の装置。
［Ｃ３３］
能力を前記シグナリングすることが、少なくとも部分的に、前記基地局に、前記低減されたページングサイクルを使用するための要求を送信することを備える、Ｃ３１に記載の装置。
［Ｃ３４］
能力を前記シグナリングすることが、少なくとも部分的に、前記基地局に、前記ＵＥの識別子を送信することを備える、Ｃ３１に記載の装置。
［Ｃ３５］
前記少なくとも１つのプロセッサが、前記低減されたページングサイクルに関連する１つまたは複数のアクセスポイント名（ＡＰＮ）に属する１つまたは複数のベアラ上で送信するようにさらに構成された、Ｃ３１に記載の装置。
［Ｃ３６］
前記少なくとも１つのプロセッサが、前記基地局との低レイテンシベアラを確立するようにさらに構成された、Ｃ３１に記載の装置。
［Ｃ３７］
前記少なくとも１つのプロセッサは、前記ＵＥがランダムアクセスチャネル（ＲＡＣＨ）プロシージャを実行するときに使用するためのＲＡＣＨリソース識別子を含むページを前記基地局から受信するようにさらに構成された、Ｃ３１に記載の装置。
［Ｃ３８］
前記少なくとも１つのプロセッサは、前記ＵＥがアップリンク送信のために使用するための１つまたは複数のパラメータを含むページを前記基地局から受信するようにさらに構成された、Ｃ３１に記載の装置。
［Ｃ３９］
ワイヤレス通信のための装置であって、
低減されたページングサイクルをサポートする第１のタイプのユーザ機器（ＵＥ）をページングするために、前記低減されたページングサイクルを使用することを決定するための手段と、前記低減されたページングサイクルが、前記低減されたページングサイクルをサポートしない第２のタイプのＵＥとともに使用されるページングサイクルに対してより短い期間を有する、
前記低減されたページングサイクルに従って前記第１のタイプの前記ＵＥをページングするための手段とを備える、装置。
［Ｃ４０］
前記第１のタイプのＵＥとともに使用される前記低減されたページングサイクルよりも長い期間を有する別のページングサイクルに従って、前記第２のタイプのＵＥをページングするための手段をさらに備える、Ｃ３９に記載の装置。
［Ｃ４１］
前記低減されたページングサイクルを使用することを決定することが、モビリティ管理エンティティ（ＭＭＥ）によって実行される、Ｃ３９に記載の装置。
［Ｃ４２］
ＵＥ能力情報に基づいて、前記第１のタイプの前記ＵＥが前記低減されたページングサイクルをサポートすることが可能であると決定するための手段をさらに備える、Ｃ３９に記載の装置。
［Ｃ４３］
前記低減されたページングサイクルを使用するために、前記第１のタイプの前記ＵＥから要求を受信するための手段をさらに備え、ここにおいて、前記低減されたページングサイクルを使用することを決定することが、前記要求に少なくとも部分的に基づく、Ｃ３９に記載の装置。
［Ｃ４４］
前記第１のタイプの前記ＵＥの識別情報を決定するための手段をさらに備え、ここにおいて、前記低減されたページングサイクルを使用することを決定することが、前記識別情報に少なくとも部分的に基づく、Ｃ３９に記載の装置。
［Ｃ４５］
前記低減されたページングサイクルを使用することを決定することは、１つまたは複数のアクセスポイント名（ＡＰＮ）がアクティブであることに少なくとも部分的に基づく、Ｃ３９に記載の装置。
［Ｃ４６］
前記低減されたページングサイクルを使用することを決定することが、
低レイテンシベアラの確立、または
低レイテンシベアラ上の予想されるアクティビティのうちの少なくとも１つに少なくとも部分的に基づく、Ｃ３９に記載の装置。
［Ｃ４７］
前記低減されたページングサイクルを使用することを決定することが、前記第１のタイプの前記ＵＥのアクティビティまたはトラフィックのうちの少なくとも１つの履歴に少なくとも部分的に基づく、Ｃ３９に記載の装置。
［Ｃ４８］
前記第１のタイプの前記ＵＥをページングするとき、前記第１のタイプの前記ＵＥがランダムアクセスチャネル（ＲＡＣＨ）プロシージャを実行するときに使用するためのＲＡＣＨリソース識別子を与えるための手段をさらに備える、Ｃ３９に記載の装置。
［Ｃ４９］
前記第１のタイプの前記ＵＥをページングするとき、前記第１のタイプの前記ＵＥがアップリンク送信のために使用するための１つまたは複数のパラメータを与えるための手段をさらに備える、Ｃ３９に記載の装置。
［Ｃ５０］
ユーザ機器（ＵＥ）によるワイヤレス通信のための装置であって、
低減されたページングサイクルの使用をサポートする前記ＵＥの能力をシグナリングするための手段と、前記低減されたページングサイクルが、前記低減されたページングサイクルをサポートしない第２のタイプのＵＥによって使用されるページングサイクルに対してより短い期間を有する、
前記低減されたページングサイクルに従って、基地局からページを受信するための手段とを備える、装置。
［Ｃ５１］
能力を前記シグナリングすることが、少なくとも部分的に、前記基地局に、前記低減されたページングサイクルのサポートを示すＵＥ能力情報を送信することをさらに備える、Ｃ５０に記載の装置。
［Ｃ５２］
能力を前記シグナリングすることが、少なくとも部分的に、前記基地局に、前記低減されたページングサイクルを使用するための要求を送信することをさらに備える、Ｃ５０に記載の装置。
［Ｃ５３］
能力を前記シグナリングすることが、少なくとも部分的に、前記基地局に、前記ＵＥの識別子を送信することをさらに備える、Ｃ５０に記載の装置。
［Ｃ５４］
前記基地局に、前記低減されたページングサイクルに関連する１つまたは複数のアクセスポイント名（ＡＰＮ）に属する１つまたは複数のベアラ上で送信するための手段をさらに備える、Ｃ５０に記載の装置。
［Ｃ５５］
前記基地局との低レイテンシベアラを確立するための手段をさらに備える、Ｃ５０に記載の装置。
［Ｃ５６］
前記ＵＥがランダムアクセスチャネル（ＲＡＣＨ）プロシージャを実行するときに使用するためのＲＡＣＨリソース識別子を含むページを前記基地局から受信するための手段をさらに備える、Ｃ５０に記載の装置。
［Ｃ５７］
前記ＵＥがアップリンク送信のために使用するための１つまたは複数のパラメータを含むページを前記基地局から受信するための手段をさらに備える、Ｃ５０に記載の装置。
［Ｃ５８］
その上に記憶された命令を有する、ワイヤレス通信のための非一時的コンピュータ可読媒体であって、前記命令は、
低減されたページングサイクルをサポートする第１のタイプのユーザ機器（ＵＥ）をページングするために、前記低減されたページングサイクルを使用することを決定することと、前記低減されたページングサイクルが、前記低減されたページングサイクルをサポートしない第２のタイプのＵＥとともに使用されるページングサイクルに対してより短い期間を有する、
前記低減されたページングサイクルに従って前記第１のタイプの前記ＵＥをページングすることとを行うために１つまたは複数のプロセッサによって実行可能である、非一時的コンピュータ可読媒体。
［Ｃ５９］
その上に記憶された命令を有する、ユーザ機器（ＵＥ）によるワイヤレス通信のための非一時的コンピュータ可読媒体であって、前記命令は、
低減されたページングサイクルの使用をサポートする前記ＵＥの能力をシグナリングすることと、前記低減されたページングサイクルが、前記低減されたページングサイクルをサポートしない第２のタイプのＵＥによって使用されるページングサイクルに対してより短い期間を有する、
前記低減されたページングサイクルに従って、基地局からページを受信することとを行うために１つまたは複数のプロセッサによって実行可能である、非一時的コンピュータ可読媒体。
［Ｃ６０］
基地局によってシステム情報を伝達するための方法であって、
エリア中のセルのグループの各セルに共通の第１のシステム情報をブロードキャストすることと、
セルの前記グループ中のセル間で変動し得る第２のシステム情報をブロードキャストすることと、ここにおいて、前記第２のシステム情報が、前記第１のシステム情報よりも頻繁にブロードキャストされる、を備える、方法。
［Ｃ６１］
前記第１のシステム情報が、セルの前記グループ中の複数のセルによってブロードキャストされる、Ｃ６０に記載の方法。
［Ｃ６２］
前記第１のシステム情報が、物理マルチキャストチャネル（ＰＭＣＨ）を使用してブロードキャストされる、Ｃ６１に記載の方法。
［Ｃ６３］
前記第１のシステム情報が有効である時間期間の指示を与えることをさらに備える、Ｃ６０に記載の方法。
［Ｃ６４］
ページングメッセージを介して、前記第１のシステム情報または前記第２のシステム情報のうちの少なくとも１つが変化したという指示を１つまたは複数のユーザ機器（ＵＥ）に与えることをさらに備える、Ｃ６０に記載の方法。
［Ｃ６５］
前記ページングメッセージは、前記第１のシステム情報または前記第２のシステム情報のうちのいずれが変化したかを示す値を備える、Ｃ６４に記載の方法。
［Ｃ６６］
ユーザ機器（ＵＥ）から、少なくとも前記第１のシステム情報についての要求を受信することと、
前記要求に応答して、少なくとも前記第１のシステム情報を前記ＵＥに送信することとをさらに備える、Ｃ６０に記載の方法。
［Ｃ６７］
ユーザ機器（ＵＥ）によってシステム情報を取得するための方法であって、
エリア中のセルのグループの各セルに共通の第１のシステム情報のブロードキャストを受信することと、
セルの前記グループ中のセル間で変動し得る第２のシステム情報のブロードキャストを受信することと、ここにおいて、前記第２のシステム情報が、前記第１のシステム情報よりも頻繁にブロードキャストされる、を備える、方法。
［Ｃ６８］
前記第１のシステム情報が、セルの前記グループ中の複数のセルによってブロードキャストされる、Ｃ６７に記載の方法。
［Ｃ６９］
前記第１のシステム情報が、物理マルチキャストチャネル（ＰＭＣＨ）を使用して前記複数のセルによってブロードキャストされる、Ｃ６８に記載の方法。
［Ｃ７０］
前記第１のシステム情報に基づいて、前記第１のシステム情報が有効である時間期間を決定することをさらに備える、Ｃ６７に記載の方法。
［Ｃ７１］
前記第１のシステム情報または前記第２のシステム情報のうちの少なくとも１つが変化したことを示すページングメッセージを受信することをさらに備える、Ｃ６７に記載の方法。
［Ｃ７２］
前記ページングメッセージ中に含まれる値に基づいて、前記第１のシステム情報または前記第２のシステム情報のうちのいずれが変化したかを決定することをさらに備える、Ｃ７１に記載の方法。
［Ｃ７３］
基地局に、少なくとも前記第１のシステム情報についての要求を送信することと、
前記基地局から、少なくとも前記第１のシステム情報を含む前記要求に対する応答を受信することとをさらに備える、Ｃ６７に記載の方法。
［Ｃ７４］
第１のセルの基地局から受信された少なくとも前記第１のシステム情報をキャッシュすることと、
前記キャッシュされた第１のシステム情報と、第２のセル中で動作を実行するための前記第２のセルの基地局から受信された第２のシステム情報とを利用することとをさらに備える、Ｃ６７に記載の方法。
［Ｃ７５］
基地局によってシステム情報を伝達するための装置であって、少なくとも１つのプロセッサと、命令がその上に記憶された、前記少なくとも１つのプロセッサに結合されたメモリとを備え、ここにおいて、
前記少なくとも１つのプロセッサは、
エリア中のセルのグループの各セルに共通の第１のシステム情報をブロードキャストすることと、
セルの前記グループ中のセル間で変動し得る第２のシステム情報をブロードキャストすることと、ここにおいて、前記第２のシステム情報が、前記第１のシステム情報よりも頻繁にブロードキャストされる、を行うように構成された、装置。
［Ｃ７６］
前記第１のシステム情報が、セルの前記グループ中の複数のセルによってブロードキャストされる、Ｃ７５に記載の装置。
［Ｃ７７］
前記第１のシステム情報が、物理マルチキャストチャネル（ＰＭＣＨ）を使用してブロードキャストされる、Ｃ７６に記載の装置。
［Ｃ７８］
前記少なくとも１つのプロセッサは、前記第１のシステム情報が有効である時間期間の指示を与えるようにさらに構成された、Ｃ７５に記載の装置。
［Ｃ７９］
前記少なくとも１つのプロセッサは、ページングメッセージを介して、前記第１のシステム情報または前記第２のシステム情報のうちの少なくとも１つが変化したという指示を１つまたは複数のユーザ機器（ＵＥ）に与えるようにさらに構成された、Ｃ７５に記載の装置。
［Ｃ８０］
前記ページングメッセージは、前記第１のシステム情報または前記第２のシステム情報のうちのいずれが変化したかを示す値を備える、Ｃ７９に記載の装置。
［Ｃ８１］
前記少なくとも１つのプロセッサが、
ユーザ機器（ＵＥ）から、少なくとも前記第１のシステム情報についての要求を受信することと、
前記要求に応答して、少なくとも前記第１のシステム情報を前記ＵＥに送信することとを行うようにさらに構成された、Ｃ７５に記載の装置。
［Ｃ８２］
ユーザ機器（ＵＥ）によってシステム情報を取得するための装置であって、少なくとも１つのプロセッサと、命令がその上に記憶された、前記少なくとも１つのプロセッサに結合されたメモリとを備え、ここにおいて、
前記少なくとも１つのプロセッサは、
エリア中のセルのグループの各セルに共通の第１のシステム情報のブロードキャストを受信することと、
セルの前記グループ中のセル間で変動し得る第２のシステム情報のブロードキャストを受信することと、ここにおいて、前記第２のシステム情報が、前記第１のシステム情報よりも頻繁にブロードキャストされる、を行うように構成された、装置。
［Ｃ８３］
前記第１のシステム情報が、セルの前記グループ中の複数のセルによってブロードキャストされる、Ｃ８２に記載の装置。
［Ｃ８４］
前記第１のシステム情報が、物理マルチキャストチャネル（ＰＭＣＨ）を使用して前記複数のセルによってブロードキャストされる、Ｃ８３に記載の装置。
［Ｃ８５］
前記少なくとも１つのプロセッサは、前記第１のシステム情報に基づいて、前記第１のシステム情報が有効である時間期間を決定するようにさらに構成された、Ｃ８２に記載の装置。
［Ｃ８６］
前記少なくとも１つのプロセッサは、前記第１のシステム情報または前記第２のシステム情報のうちの少なくとも１つが変化したことを示すページングメッセージを受信するようにさらに構成された、Ｃ８２に記載の装置。
［Ｃ８７］
前記少なくとも１つのプロセッサは、前記ページングメッセージ中に含まれる値に基づいて、前記第１のシステム情報または前記第２のシステム情報のうちのいずれが変化したかを決定するようにさらに構成された、Ｃ８６に記載の装置。
［Ｃ８８］
前記少なくとも１つのプロセッサが、
基地局に、少なくとも前記第１のシステム情報についての要求を送信することと、
前記基地局から、少なくとも前記第１のシステム情報を含む前記要求に対する応答を受信することとを行うようにさらに構成された、Ｃ８２に記載の装置。
［Ｃ８９］
前記少なくとも１つのプロセッサが、
第１のセルの基地局から受信された少なくとも前記第１のシステム情報をキャッシュすることと、
前記キャッシュされた第１のシステム情報と、第２のセル中で動作を実行するための前記第２のセルの基地局から受信された第２のシステム情報とを利用することとを行うようにさらに構成された、Ｃ８２に記載の装置。
［Ｃ９０］
基地局によってシステム情報を伝達するための装置であって、
エリア中のセルのグループの各セルに共通の第１のシステム情報をブロードキャストするための手段と、
セルの前記グループ中のセル間で変動し得る第２のシステム情報をブロードキャストするための手段と、ここにおいて、前記第２のシステム情報が、前記第１のシステム情報よりも頻繁にブロードキャストされる、を備える、装置。
［Ｃ９１］
前記第１のシステム情報が、セルの前記グループ中の複数のセルによってブロードキャストされる、Ｃ９０に記載の装置。
［Ｃ９２］
前記第１のシステム情報が、物理マルチキャストチャネル（ＰＭＣＨ）を使用してブロードキャストされる、Ｃ９１に記載の装置。
［Ｃ９３］
前記第１のシステム情報が有効である時間期間の指示を与えるための手段をさらに備える、Ｃ９０に記載の装置。
［Ｃ９４］
ページングメッセージを介して、前記第１のシステム情報または前記第２のシステム情報のうちの少なくとも１つが変化したという指示を１つまたは複数のユーザ機器（ＵＥ）に与えるための手段をさらに備える、Ｃ９０に記載の装置。
［Ｃ９５］
前記ページングメッセージは、前記第１のシステム情報または前記第２のシステム情報のうちのいずれが変化したかを示す値を備える、Ｃ９４に記載の装置。
［Ｃ９６］
ユーザ機器（ＵＥ）から、少なくとも前記第１のシステム情報についての要求を受信するための手段と、
前記要求に応答して、少なくとも前記第１のシステム情報を前記ＵＥに送信するための手段とをさらに備える、Ｃ９０に記載の装置。
［Ｃ９７］
ユーザ機器（ＵＥ）によってシステム情報を取得するための装置であって、
エリア中のセルのグループの各セルに共通の第１のシステム情報のブロードキャストを受信するための手段と、
セルの前記グループ中のセル間で変動し得る第２のシステム情報のブロードキャストを受信するための手段と、ここにおいて、前記第２のシステム情報が、前記第１のシステム情報よりも頻繁にブロードキャストされる、を備える、装置。
［Ｃ９８］
前記第１のシステム情報が、セルの前記グループ中の複数のセルによってブロードキャストされる、Ｃ９７に記載の装置。
［Ｃ９９］
前記第１のシステム情報が、物理マルチキャストチャネル（ＰＭＣＨ）を使用して前記複数のセルによってブロードキャストされる、Ｃ９８に記載の装置。
［Ｃ１００］
前記第１のシステム情報に基づいて、前記第１のシステム情報が有効である時間期間を決定するための手段をさらに備える、Ｃ９７に記載の装置。
［Ｃ１０１］
前記第１のシステム情報または前記第２のシステム情報のうちの少なくとも１つが変化したことを示すページングメッセージを受信するための手段をさらに備える、Ｃ９７に記載の装置。
［Ｃ１０２］
前記ページングメッセージ中に含まれる値に基づいて、前記第１のシステム情報または前記第２のシステム情報のうちのいずれが変化したかを決定するための手段をさらに備える、Ｃ１０１に記載の装置。
［Ｃ１０３］
基地局に、少なくとも前記第１のシステム情報についての要求を送信するための手段と、
前記基地局から、少なくとも前記第１のシステム情報を含む前記要求に対する応答を受信するための手段とをさらに備える、Ｃ９７に記載の装置。
［Ｃ１０４］
第１のセルの基地局から受信された少なくとも前記第１のシステム情報をキャッシュするための手段と、
前記キャッシュされた第１のシステム情報と、第２のセル中で動作を実行するための前記第２のセルの基地局から受信された第２のシステム情報とを利用するための手段とをさらに備える、Ｃ９７に記載の装置。
［Ｃ１０５］
その上に記憶された命令を有する、基地局によってシステム情報を伝達するための非一時的コンピュータ可読媒体であって、前記命令は、
エリア中のセルのグループの各セルに共通の第１のシステム情報をブロードキャストすることと、
セルの前記グループ中のセル間で変動し得る第２のシステム情報をブロードキャストすることと、ここにおいて、前記第２のシステム情報が、前記第１のシステム情報よりも頻繁にブロードキャストされる、を行うために１つまたは複数のプロセッサによって実行可能である、非一時的コンピュータ可読媒体。
［Ｃ１０６］
その上に記憶された命令を有する、ユーザ機器（ＵＥ）によってシステム情報を取得するための非一時的コンピュータ可読媒体であって、前記命令は、
エリア中のセルのグループの各セルに共通の第１のシステム情報のブロードキャストを受信することと、
セルの前記グループ中のセル間で変動し得る第２のシステム情報のブロードキャストを受信することと、ここにおいて、前記第２のシステム情報が、前記第１のシステム情報よりも頻繁にブロードキャストされる、を行うために１つまたは複数のプロセッサによって実行可能である、非一時的コンピュータ可読媒体。
【図１】
0006657218.tif 000002
【図２】
0006657218.tif 000003
【図２Ａ】
0006657218.tif 000004
【図３】
0006657218.tif 000005
【図４】
0006657218.tif 000006
【図５】
0006657218.tif 000007
【図６】
0006657218.tif 000008
【図７】
0006657218.tif 000009
【図８】
0006657218.tif 000010
【図９】
0006657218.tif 000011
【図１０】
0006657218.tif 000012
【図１１】
0006657218.tif 000013